(57)【要約】      （修正有）【課題】合成樹脂で形成された円板状台座の外周縁に、全周にわたり多数の刃部が設けられてなる、軽量で長時間使用可能な刈払機用回転刃を提供する。【解決手段】合成樹脂で形成された円板状台座１の中心部に、刈払機の駆動軸部を挿入する挿入孔３が設けられており、該円板状台座１の外周縁には全周にわたり多数の刃部２が設けられている。前記刃部２は両刃４とすることができる。また、前記刃部２は、各刃部２の円周方向の中央部に凹部５が設けられ、各刃部２の厚さ方向の中央部に円周方向に沿って溝が形成されており、前記凹部５には超硬チップ体が嵌合され、前記溝には前記超硬チップ体を所定間隔で挿入した円形索が嵌合されている。【選択図】図２
2014079195.tif 000002
【特許請求の範囲】
【請求項１】
合成樹脂で形成された円板状台座の中心部に、刈払機の駆動軸部を挿入する挿入孔が設けられており、該円板状台座の外周縁には全周にわたり多数の刃部が設けられていることを特徴とする刈払機用回転刃。
【請求項２】
前記刃部が両刃であることを特徴とする請求項１に記載の刈払機用回転刃。
【請求項３】
前記刃部は、各刃部の円周方向の中央部に凹部が設けられ、各刃部の厚さ方向の中央部に円周方向に沿って溝が形成されており、前記凹部には超硬チップ体が嵌合され、前記溝には前記超硬チップ体を所定間隔で挿入した円形索が嵌合されていることを特徴とする請求項２に記載の刈払機用回転刃。
【発明の詳細な説明】
【技術分野】
【０００１】
本発明は、合成樹脂で形成された円板状台座の外周縁に、全周にわたり多数の刃部が設けられてなる刈払機用回転刃に関するものである。
【背景技術】
【０００２】
従来、刈払機用回転刃は金属板を用いて円板状台座を形成し、この円板状台座の外周縁の刃部に刈刃や超硬チップを所定間隔で設けてなるものである。また、超硬チップを固着したものは金属性刈刃を形成したものより切削性が優れているので広く使用されている。一方、刈払機に取り付けられて回転させられる保持部材と、この保持部材に基端が保持されたナイロンコード切断刃を備えた刈払機用回転刃も、手軽に使用できるため広く使用されている。  
【０００３】
ところが、金属板製の円板状台座を用いた従来の回転刃は、高速回転させたときに切断時の振動が円板状台座を構成する金属板に伝播して同調・共鳴することにより異常に高い金属性の激しい騒音を生じ、作業環境を著しく悪化させるという問題点があった。一方、ナイロンコード切断刃は損耗が激しいため、草刈作業中において頻繁にナイロンコードの繰り出しあるいは交換を行う必要が生じていた。これらの問題を解決するために、金属板に代えて合成樹脂製の円板状台座を用いた回転刃が考案されている。  
【０００４】
例えば、手持式電動切断機や丸鋸盤等の回転刃として木工用、外壁材の切断用及び金属材の切断用に用いられるチップソーであり、高硬度材料からなる複数個の刃体チップの外周面に、台座外周部のチップとの接合部位に係止させる係合溝を形成し、前記台座の成形時において溶融乃至半溶融状態とした台座の各チップとの接合部位をチップの係合溝に密着させることにより、チップを台座に離脱不能な状態で一体的に固着したエンジニアリングプラスチック製回転台座を備えたチップソーが開示されている（特許文献１参照）。  
【０００５】
また、中央に嵌挿孔を有し、嵌挿孔の中心を通る同一長さの交叉状直線上の頂部より所定の長さだけ中心に寄った底部を求めると共に、頂部と底部とを円弧状に結び、嵌挿孔の中心を通る交叉状直線の頂部及び底部の直線部分とによって複数個に仕切り、各円弧の外側面を切欠部とし、嵌挿孔の中心より最も長い頂部より最も短い頂部までの約２分の１または３分の２程度の円弧部分にだけ刃部を形成し、前記刃付けが施されなかった部分は切欠部とし、前記刃部を含む刈刃全体の厚みを均一とする合成樹脂製刈刃を形成した合成樹脂製刈刃が開示されている（特許文献２参照）。  
【０００６】
更に、超硬チップの側面に円板形母板の周方向に沿った側溝を設け、各超硬チップの側溝に環状の連結索を収め、超硬チップと連結索とを前記円板形母板をなす硬質合成樹脂によって結合してなる超硬チップ取り付け構造が開示されている（特許文献３参照）。
【先行技術文献】
【特許文献】
【０００７】
【特許文献１】特開平５−４０１号公報
【特許文献２】特公平６−１２号公報
【特許文献３】実開平２−１５８２３号公報
【発明の概要】
【発明が解決しようとする課題】
【０００８】
特許文献１に記載のチップソーは、複数個の刃体チップをそれぞれ回転台座の成形時において、該台座の射出成形金型内における台座と刃体チップの接合部位に対応する位置に配設されて、該金型内に溶融乃至半溶融状態のエンジニアリングプラスチックを注入したとき、この流動状態の樹脂が刃体チップの係合溝に流入し、該溝とその両側のチップ外周面部分と密着状態で接合し田茂のである。しかしながら、このチップソーは、木工用、外壁材及び金属材の切断用として開発されたものであり、草刈作業の用途には適さないものであった。  
【０００９】
特許文献２に記載の合成樹脂製刈刃を用いて草刈作業をする際は、刈払機を中速回転とし、回転方向は刃が設けられていない切欠部より小さい形状の刃部群へ、所謂、なで切り状態となるように回転することを条件としている。また、前記刈刃が切欠部により３分割された構造であり、しかも円弧部分の半分程度しか刈刃が形成されていないので、草木を切断するというよりもなぎ倒す状態となり、合成樹脂製刈刃であるにもかかわらず、前記刈刃が草木に当接したときに作業者に伝わる衝撃が大きいという問題があった。  
【００１０】
特許文献３に記載の超硬チップ取り付け構造は、連結索及び超硬チップを円板形母板の一方の側面に接合しているため、草刈作業中に他方の側面から応力を受けると、前記連結索又は超硬チップが剥離する虞があった。
【課題を解決するための手段】
【００１１】
本発明は、上記問題点を解決するために成されたものであり、軽量であり、且つ、長時間使用することができる合成樹脂製の刈払機用回転刃を提供することを目的としている。  
【００１２】
本発明の請求項１に係る刈払機用回転刃は、ポリカーボネート等の熱可塑性樹脂を用いて、円板状台座の中心部に刈払機の駆動軸部を挿入する挿入孔が設けられており、該円板状台座の外周縁には全周にわたり多数の刃部が前記円板状台座と一体的に形成されていることを特徴としている。ポリカーボネートは耐衝撃性、可撓性及び耐衝撃性を有しており長期間使用することができる。  
【００１３】
本発明の請求項２に係る刈払機用回転刃は、前記刃部の先端に両刃が形成されていることを特徴としている。刃部の先端に両刃を形成することにより、表裏を反転させて使用することができるので、従来品に比べて、少なくとも２倍の時間使用することができる。  
【００１４】
本発明の請求項３に係る刈払機用回転刃は、前記刃部の円周方向の中央部に超硬チップを装着する凹部と、各刃部の厚さ方向の中央部に円周方向に沿って円形索を装着する溝が形成されている。円形索は、前記円板状台座の外周縁の刃部に形成された溝に嵌入できる直径を有し、この円形索には、前記円板状台座の外周縁に設けられた凹部に嵌入される位置に超硬チップが嵌入されている。この円形索と該円形索に挿入された超硬チップを前記円板状台座の外周縁に設けられた凹部及び溝に嵌入すれば、前記円板状台座の外周縁に強固に固着することができる。また、草木は超硬チップで切断されるので、従来の合成樹脂性回転刃と比較して格段に切れ味が良くなる。
【発明の効果】
【００１５】
本発明の刈払機用回転刃は、耐衝撃性に優れ、可撓性があり、耐衝撃性が強い熱可塑性合成樹脂を使用しており、また、刃部の先端に両刃が形成されているので、従来の合成樹脂製回転刃に比べて、長期間使用することができる。  
【００１６】
また、円形索と該円形索に挿入された超硬チップを、前記円板状台座の外周縁に設けられた凹部及び溝に嵌入すれば、前記円板状台座の外周縁に前記超硬チップを強固に固着することができる。これにより、草木は超硬チップで切断されるので、従来の合成樹脂性回転刃と比較して格段に切れ味が良くなる。
【図面の簡単な説明】
【００１７】
【図１】本発明の第一実施形態を示す刈払機用回転刃の平面図である。
【図２】本発明の第二実施形態を示す刈払機用回転刃の平面図である。
【図３】本発明の第三実施形態を示す刈払機用回転刃の平面図である。
【図４】図３のＡ−Ａ拡大断面図である。
【図５】本発明の第三実施形態の円形索を示す平面図である。
【図６】本発明の第三実施形態の超硬チップ体であり、（ａ）は正面断面図、（ｂ）は右側面図である。
【発明を実施するための形態】
【００１８】
以下、本発明の実施形態を図面に基づいて詳細に説明する。なお、各図において同一部材については同一符号を付与している。刈払機用回転刃に使用されている円板状台座１は熱可塑性樹脂の一種であるポリカーボネートを使用している。ポリカーボネートはエンジニアリングプラスチックの中でも高い物性を示す樹脂であり、耐衝撃性や耐熱性に優れており、軽量で変形し難く、加工し易いという特徴を有している。なお、ポリアセタール，ポリイミド，ＰＰＥ，ポリブチレンテレフタレート等のエンジニアリングプラスチックやポリアリレート，ポリスルホン，ポリフェニレンスルフィド，ポリエーテルエーテルケトン，ポリイミド樹脂，フッ素樹脂等のスーパーエンジニアリングプラスチックを使用することも可能である。  
【００１９】
図１において、前記円板状台座１は、中心部に刈払機の駆動軸（図示しない）を挿入する挿入孔３が設けられており、該円板状台座１の外周縁には全周にわたり多数の鋸刃状の刃部２が設けられており、該刃部２には切刃６が形成されている。この刃部２と前記円板状台座１は同一の板厚としており、樹脂射出成形又は機械加工で一体形成されている。また、板厚にもよるがプレス打抜加工することも可能である。  
【００２０】
図２において、刃部２に設けられた両刃４は、円周方向の中間部に凹部５が設けられ、該凹部５を中心として円周方向側に左右対称形の鋸刃状であり、切刃６が形成されている。なお、前記凹部５を設けない形状とすることもできる。この形状とすると、円形状台座１の表裏を反転して駆動軸に挿入すれば刈払機用回転刃として使用することができる。例えば、刈払機用回転刃の任意面を地面側に向けて駆動軸に取り付けて草木等の刈払作業をし、切刃６が磨損又は欠損したときには、刈払機用回転刃の他面を地面側に向けて駆動軸に取り付けると、再度、草木等の刈払作業をすることができる。なお、上記に記載のない構造及び作用については前項の実施形態と同一であるため説明を省略する。  
【００２１】
図３において、円板状台座１には、刃部２の円周方向の中央部に超硬チップ体７を装着する凹部５と、各刃部２の厚さ方向の中央部に円周方向に沿って円形索８を装着する溝１０が形成されている。この円形索８は、前記円板状台座１の外周縁の刃部２に形成された溝１０に嵌入できる直径を有し、図４に示すように、前記円板状台座１の外周縁に設けられた凹部５に嵌入される位置に超硬チップ体７の先端が、円周縁に設けられた刃部２より突出した状態で嵌入されている。  
【００２２】
円形索８と該円形索８に挿入された超硬チップ体７を前記円板状台座１の外周縁に設けられた凹部５及び溝１０に嵌入すれば、前記円板状台座１の外周縁に強固に固着することができる。また、前記円形索８及び超硬チップ体７の嵌入には接着剤を用いることが可能であるが、前記円板状台座１の成形時にインサート成形してもよい。このようにして刈払機用回転刃を形成すれば、草木は超硬チップ体７で切断されるので、従来の合成樹脂性回転刃と比較して格段に切れ味が良くなる。なお、上記に記載のない構造及び作用については前項の実施形態と同一であるため説明を省略する。  
【００２３】
図５において、円形索８は、前記円板状台座１と同様に熱可塑性樹脂の一種であるポリカーボネートを使用しているが、金属製とすることも可能である。この円形索８は、前記円板状台座１の外周縁の刃部２に形成された溝１０に嵌入できる直径を有し、折り曲げ可能な柔軟性を有したリング状に形成されている。前記リング状部には、図６に示すように、切刃の機能を有する超硬チップ体７が、該超硬チップ体７に設けられた貫通穴９に挿入されて所定間隔で固定されている。
【産業上の利用可能性】
【００２４】
本発明は、従
来のコード式刈払刃、金属製又は合成樹脂製回転刃に変わる刈払機用回転刃として、広く利用することが可能なものである。
【符号の説明】
【００２５】
１  円形状台座  ２  刃部  ３  挿入孔  ４  両刃  ５  凹部  ６  切刃  ７  超硬チップ体  ８  円形索  ９  貫通穴  １０  溝
【図１】
2014079195.tif 000003
【図２】
2014079195.tif 000004
【図３】
2014079195.tif 000005
【図４】
2014079195.tif 000006
【図５】
2014079195.tif 000007
【図６】
2014079195.tif 000008